(57)【要約】【課題】画像データ生成装置で生成した画像データを端末装置へ送信する際の端末装置の指定を簡単に行うことができるようにする。【解決手段】パーソナルコンピュータからスキャナ２へ、当該パーソナルコンピュータに対して画像データを送信する際に用いられる識別情報（ＩＰアドレス）を格納したパケットを送信する。スキャナ２は、受信したパケットの送信元であるパーソナルコンピュータのみを、画像データを送信するパーソナルコンピュータの選択対象にする。【選択図】        図１
2004214854.tif 000002
【特許請求の範囲】
【請求項１】
画像データを生成する画像データ生成装置から送信された画像データを、端末装置が受信する画像データ送受信システムにおいて、
前記端末装置は、
前記画像データ生成装置が画像データを当該端末装置に送信する際に用いる識別情報を格納したパケットを前記画像データ生成装置に送信するパケット送信手段と、
前記画像データ生成装置から送信された画像データを受信する画像データ受信手段と、
を備え、
前記画像データ生成装置は、
画像データを生成する画像データ生成手段と、
前記パケット送信手段により送信されたパケットを受信するパケット受信手段と、
前記パケット受信手段によって受信されたパケットの送信元である端末装置の中から、前記画像データ生成手段によって生成される画像データの送信先となる端末装置を選択する送信先選択手段と、
前記送信先選択手段により選択された前記端末装置から受信したパケットに格納された識別情報に基づいて、前記画像データ生成手段により生成された画像データを当該端末装置へ送信する画像データ送信手段と、
を備えたことを特徴とする画像データ送受信システム。
【請求項２】
前記画像データ生成装置は、
入力照合情報を入力する照合情報入力手段と、
前記送信先選択手段により選択された前記端末装置に対応する登録照合情報と前記照合情報入力手段により入力された前記入力照合情報とが一致するか否かを判断する照合情報判断手段と、
前記照合情報判断手段により前記登録照合情報と前記入力照合情報とが一致すると判断されると、前記画像データ送信手段による前記画像データの送信を許可し、前記照合情報判断手段により前記登録照合情報と前記入力照合情報とが一致しないと判断されると、前記画像データ送信手段による前記画像データの送信を禁止する送信制御手段と、
をさらに備えたことを特徴とする請求項１に記載の画像データ送受信システム。
【請求項３】
前記端末装置は、
前記パケット送信手段により送信される前記パケットに前記登録照合情報を付加する登録照合情報付加手段をさらに備え、
前記画像データ生成装置は、
前記パケット受信手段により受信された前記パケットから前記登録照合情報を取得する登録照合情報取得手段と、
前記登録照合情報取得手段により取得された登録照合情報と当該登録照合情報が付加されたパケットを送信した端末装置の識別情報とを関連付ける関連付け手段と、
をさらに備えたことを特徴とする請求項２に記載の画像データ送受信システム。
【請求項４】
前記端末装置は、前記登録照合情報を暗号化する登録照合情報暗号化手段をさらに備え、
前記登録照合情報付加手段は、前記登録照合情報暗号化手段により暗号化された登録照合情報を前記パケットに付加し、
前記画像データ生成装置は、前記登録照合情報暗号化手段により行われる暗号化処理と実質的に同一の暗号化処理に基づいて、前記照合情報入力手段により入力された前記入力照合情報を暗号化する入力照合情報暗号化手段をさらに備え、前記登録照合情報取得手段は、前記パケットから前記暗号化された登録照合情報を取得し、
前記照合情報判断手段は、前記登録照合情報取得手段により取得された前記暗号化された登録照合情報と前記入力照合情報暗号化手段により暗号化された入力照合情報とが一致するか否かを判断することを特徴とする請求項３に記載の画像データ送受信システム。
【請求項５】
前記画像データ生成装置は、
前記送信先選択手段における選択対象となる夫々の端末装置に関して、前記パケット受信手段によって前記パケットが所定期間受信されていないかを判断し、前記パケットが所定期間受信されていないと判断された端末装置を前記選択対象となる端末装置から削除する端末装置削除手段をさらに備えたことを特徴とする請求項１から請求項４のいずれか１項に記載の画像データ送受信システム。
【請求項６】
前記画像データ生成装置は、
前記パケット受信手段により受信された前記パケットに格納された前記識別情報を記憶する記憶手段と、
前記送信先選択手段における選択対象となる夫々の端末装置に関して、前記パケット受信手段によって前記パケットが所定期間受信されていないかを判断し、前記パケットが所定期間受信されていないと判断された端末装置の前記識別情報を前記記憶手段から消去する記憶情報消去手段と、
をさらに備えたことを特徴とする請求項１から請求項５のいずれか１項に記載の画像データ送受信システム。
【請求項７】
前記画像データ生成装置は、
前記パケット受信手段により受信された前記パケットに格納された前記識別情報と前記登録照合情報とを記憶する記憶手段と、
前記送信先選択手段における選択対象となる夫々の端末装置に関して、前記パケット受信手段によって前記パケットが所定期間受信されていないかを判断し、前記パケットが所定期間受信されていないと判断された端末装置の前記識別情報及び前記登録照合情報を前記記憶手段から消去する記憶情報消去手段と、
をさらに備えたことを特徴とする請求項３又は請求項４に記載の画像データ送受信システム。
【請求項８】
前記パケット送信手段は、前記画像データ生成装置がネットワークに参加したことを検出した際に、前記パケットの送信を実行することを特徴とする請求項１から請求項７のいずれか１項に記載の画像データ送受信システム。
【請求項９】
画像データを生成し、生成した画像データを端末装置に送信する画像データ生成装置において、
画像データを生成する画像データ生成手段と、
前記端末装置から当該画像データ生成装置が画像データを当該端末装置に送信する際に用いる識別情報を格納したパケットを受信するパケット受信手段と、
前記パケット受信手段によって受信されたパケットの送信元である端末装置の中から、前記画像データ生成手段によって生成される画像データの送信先となる端末装置を選択する送信先選択手段と、
前記送信先選択手段により選択された前記端末装置から受信したパケットに格納された識別情報に基づいて、前記画像データ生成手段により生成された画像データを当該端末装置へ送信する画像データ送信手段と、
を備えたことを特徴とする画像データ生成装置。
【請求項１０】
画像データ生成装置によって生成された画像データを当該画像データ生成装置から受信する端末装置において、
前記画像データ生成装置が画像データを当該端末装置に送信する際に用いる識別情報を格納したパケットを前記画像データ生成装置に送信するパケット送信手段と、
前記画像データ生成装置から送信された画像データを受信する画像データ受信手段と、
を備えたことを特徴とする端末装置。
【請求項１１】
画像データを生成し、生成した画像データを端末装置に送信する画像データ生成装置であるコンピュータを、
画像データを生成する画像データ生成手段、
前記端末装置から当該コンピュータが画像データを当該端末装置に送信する際に用いる識別情報を格納したパケットを受信するパケット受信手段、
前記パケット受信手段によって受信されたパケットの送信元である端末装置の中から、前記画像データ生成手段によって生成される画像データの送信先となる端末装置を選択する送信先選択手段、及び
前記送信先選択手段により選択された前記端末装置から受信したパケットに格納された識別情報に基づいて、前記画像データ生成手段により生成された画像データを当該端末装置へ送信する画像データ送信手段、
として機能させることを特徴とするプログラム。
【請求項１２】
画像データ生成装置によって生成された画像データを当該画像データ生成装置から受信する端末装置であるコンピュータを、
前記画像データ生成装置が画像データを当該コンピュータに送信する際に用いる識別情報を格納したパケットを前記画像データ生成装置に送信するパケット送信手段、及び
前記画像データ生成装置から送信された画像データを受信する画像データ受信手段、
として機能させることを特徴とするプログラム。
【発明の詳細な説明】
【０００１】
【発明の属する技術分野】
本発明は、画像データ生成装置において画像データを生成し、生成した画像データをユーザによって選択された端末装置へ送信する画像データ送受信システム、画像データ生成装置、端末装置、及びプログラムに関し、特に、画像データを端末装置へ送信する際の端末装置の指定を簡単に行うことが可能な画像データ送受信システム、画像データ生成装置、端末装置、及びプログラムに関する。
【０００２】
【従来の技術】
例えば、スキャナ機能など複数の機能を備えた多機能周辺装置と、当該多機能周辺装置にＬＡＮ（Ｌｏｃａｌ  Ａｒｅａ  Ｎｅｔｗｏｒｋ）を介して接続された複数の端末装置（例えば、パーソナルコンピュータ）とを備えたネットワークシステムが構築されることがある。そして、例えば、多機能周辺装置のスキャナ機能を利用して読み取った原稿の画像データをユーザによって指定された端末装置へ送信することが既に行われている（例えば、特許文献１参照。）。
【０００３】
【特許文献１】
特開２０００−９２１２１号公報
【０００４】
【発明が解決しようとする課題】
ところが、多機能周辺装置のスキャナ機能を利用して読み取った原稿の画像データを端末装置へ送信する場合、送信先のアドレスを知った上で、そのアドレスをユーザ自ら手入力する必要があり、ユーザにとって煩わしいものであった。
【０００５】
そこで、本発明は、画像データ生成装置で生成した画像データを端末装置へ送信する際の端末装置の指定を簡単に行うことができる画像データ送受信システム、画像データ生成装置、端末装置、及びプログラムを提供することを目的とする。
【０００６】
【課題を解決するための手段】
請求項１に記載の画像データ送受信システムは、画像データを生成する画像データ生成装置から送信された画像データを、端末装置が受信する画像データ送受信システムにおいて、前記端末装置は、前記画像データ生成装置が画像データを当該端末装置に送信する際に用いる識別情報を格納したパケットを前記画像データ生成装置に送信するパケット送信手段と、前記画像データ生成装置から送信された画像データを受信する画像データ受信手段と、を備え、前記画像データ生成装置は、画像データを生成する画像データ生成手段と、前記パケット送信手段により送信されたパケットを受信するパケット受信手段と、前記パケット受信手段によって受信されたパケットの送信元である端末装置の中から、前記画像データ生成手段によって生成される画像データの送信先となる端末装置を選択する送信先選択手段と、前記送信先選択手段により選択された前記端末装置から受信したパケットに格納された識別情報に基づいて、前記画像データ生成手段により生成された画像データを当該端末装置へ送信する画像データ送信手段と、を備えたことを特徴とする。
【０００７】
請求項９に記載の画像データ生成装置は、画像データを生成し、生成した画像データを端末装置に送信する画像データ生成装置において、画像データを生成する画像データ生成手段と、前記端末装置から当該画像データ生成装置が画像データを当該端末装置に送信する際に用いる識別情報を格納したパケットを受信するパケット受信手段と、前記パケット受信手段によって受信されたパケットの送信元である端末装置の中から、前記画像データ生成手段によって生成される画像データの送信先となる端末装置を選択する送信先選択手段と、前記送信先選択手段により選択された前記端末装置から受信したパケットに格納された識別情報に基づいて、前記画像データ生成手段により生成された画像データを当該端末装置へ送信する画像データ送信手段と、を備えたことを特徴とする。
【０００８】
請求項１０に記載の端末装置は、画像データ生成装置によって生成された画像データを当該画像データ生成装置から受信する端末装置において、前記画像データ生成装置が画像データを当該端末装置に送信する際に用いる識別情報を格納したパケットを前記画像データ生成装置に送信するパケット送信手段と、前記画像データ生成装置から送信された画像データを受信する画像データ受信手段と、を備えたことを特徴とする。
【０００９】
請求項１１に記載のプログラムは、画像データを生成し、生成した画像データを端末装置に送信する画像データ生成装置であるコンピュータを、画像データを生成する画像データ生成手段、前記端末装置から当該コンピュータが画像データを当該端末装置に送信する際に用いる識別情報を格納したパケットを受信するパケット受信手段、前記パケット受信手段によって受信されたパケットの送信元である端末装置の中から、前記画像データ生成手段によって生成される画像データの送信先となる端末装置を選択する送信先選択手段、及び前記送信先選択手段により選択された前記端末装置から受信したパケットに格納された識別情報に基づいて、前記画像データ生成手段により生成された画像データを当該端末装置へ送信する画像データ送信手段、として機能させることを特徴とする。
【００１０】
請求項１２に記載のプログラムは、画像データ生成装置によって生成された画像データを当該画像データ生成装置から受信する端末装置であるコンピュータを、前記画像データ生成装置が画像データを当該コンピュータに送信する際に用いる識別情報を格納したパケットを前記画像データ生成装置に送信するパケット送信手段、及び前記画像データ生成装置から送信された画像データを受信する画像データ受信手段、として機能させることを特徴とする。
【００１１】
請求項１、９、１０、１１、１２によると、端末装置から画像データ生成装置へ、画像データ生成装置が画像データを当該端末装置に送信する際に用いる識別情報を格納したパケットが送信され、画像データ生成装置では端末装置から受信したパケットの送信元である端末装置の中から画像データの送信先となる端末装置を選択するので、画像データ生成装置で生成した画像データを端末装置へ送信する際の端末装置の指定を簡単に行うことが可能になる。
【００１２】
請求項２に記載の画像データ送受信システムは、請求項１に記載の画像送受信システムにおいて、前記画像データ生成装置は、入力照合情報を入力する照合情報入力手段と、前記送信先選択手段により選択された前記端末装置に対応する登録照合情報と前記照合情報入力手段により入力された前記入力照合情報とが一致するか否かを判断する照合情報判断手段と、前記照合情報判断手段により前記登録照合情報と前記入力照合情報とが一致すると判断されると、前記画像データ送信手段による前記画像データの送信を許可し、前記照合情報判断手段により前記登録照合情報と前記入力照合情報とが一致しないと判断されると、前記画像データ送信手段による前記画像データの送信を禁止する送信制御手段と、をさらに備えたことを特徴とする。
【００１３】
請求項２によると、画像データを送信する送信先の端末装置に対応する登録照合情報と一致する入力照合情報を照合情報入力手段で入力しないと、画像データが画像データ生成装置から端末装置へ送信されないため、画像データを他のユーザの端末装置へ送信する悪戯や、端末装置の選択の間違いにより希望しない端末装置への画像データの送信を効果的に防止することができる。
【００１４】
請求項３に記載の画像データ送受信システムは、請求項２に記載の画像データ送受信システムにおいて、前記端末装置は、前記パケット送信手段により送信される前記パケットに前記登録照合情報を付加する登録照合情報付加手段をさらに備え、前記画像データ生成装置は、前記パケット受信手段により受信された前記パケットから前記登録照合情報を取得する登録照合情報取得手段と、前記登録照合情報取得手段により取得された登録照合情報と当該登録照合情報が付加されたパケットを送信した端末装置の識別情報とを関連付ける関連付け手段と、をさらに備えたことを特徴とする。
【００１５】
請求項３によると、端末装置が画像データ生成装置に対して送信する識別情報と登録照合情報とを同じパケットに格納して送信するので、通信の負荷を軽減することができる。
【００１６】
請求項４に記載の画像データ送受信システムは、請求項３に記載の画像データ送受信システムにおいて、前記端末装置は、前記登録照合情報を暗号化する登録照合情報暗号化手段をさらに備え、前記登録照合情報付加手段は、前記登録照合情報暗号化手段により暗号化された登録照合情報を前記パケットに付加し、前記画像データ生成装置は、前記登録照合情報暗号化手段により行われる暗号化処理と実質的に同一の暗号化処理に基づいて、前記照合情報入力手段により入力された前記入力照合情報を暗号化する入力照合情報暗号化手段をさらに備え、前記登録照合情報取得手段は、前記パケットから前記暗号化された登録照合情報を取得し、前記照合情報判断手段は、前記登録照合情報取得手段により取得された前記暗号化された登録照合情報と前記入力照合情報暗号化手段により暗号化された入力照合情報とが一致するか否かを判断することを特徴とする。
【００１７】
請求項４によると、端末装置から画像データ生成装置へ登録照合情報を暗号化して送信するので、登録照合情報が他人に知られることを効果的に回避することが可能になる。これとともに、一般に暗号化された情報を復号化するよりも実質的に同じ暗号化処理に基づいて情報を暗号化する方が容易であることを踏まえれば、登録照合情報を暗号化した暗号化処理と実質的に同じ暗号化処理で入力照合情報を暗号化して両者の一致を判断しているため、暗号化された登録照合情報を復号化して入力照合情報との一致を判断するものに比べ、実施が容易になるという利点がある。
【００１８】
請求項５に記載の画像データ送受信システムは、請求項１から請求項４のいずれか１項に記載の画像データ送受信システムにおいて、前記画像データ生成装置は、前記送信先選択手段における選択対象となる夫々の端末装置に関して、前記パケット受信手段によって前記パケットが所定期間受信されていないかを判断し、前記パケットが所定期間受信されていないと判断された端末装置を前記選択対象となる端末装置から削除する端末装置削除手段をさらに備えたことを特徴とする。
【００１９】
請求項５によると、送信先選択手段による選択対象となる端末装置が、画像データ生成装置がパケットを所定期間内に受信したもののみになるので、ユーザによる画像データを送信する端末装置の選択が容易になる。
【００２０】
請求項６に記載の画像データ送受信システムは、請求項１から請求項５のいずれか１項に記載の画像データ送受信システムにおいて、前記画像データ生成装置は、前記パケット受信手段により受信された前記パケットに格納された前記識別情報を記憶する記憶手段と、前記送信先選択手段における選択対象となる夫々の端末装置に関して、前記パケット受信手段によって前記パケットが所定期間受信されていないかを判断し、前記パケットが所定期間受信されていないと判断された端末装置の前記識別情報を前記記憶手段から消去する記憶情報消去手段と、をさらに備えたことを特徴とする。
【００２１】
請求項６によると、画像データ生成装置がパケットを所定期間受信していない端末装置の識別情報を記憶手段から削除するので、記憶手段の記憶領域を有効に利用することが可能になる。
【００２２】
請求項７に記載の画像データ送受信システムは、請求項３又は請求項４に記載の画像データ送受信システムにおいて、前記画像データ生成装置は、前記パケット受信手段により受信された前記パケットに格納された前記識別情報と前記登録照合情報とを記憶する記憶手段と、前記送信先選択手段における選択対象となる夫々の端末装置に関して、前記パケット受信手段によって前記パケットが所定期間受信されていないかを判断し、前記パケットが所定期間受信されていないと判断された端末装置の前記識別情報及び前記登録照合情報を前記記憶手段から消去する記憶情報消去手段と、をさらに備えたことを特徴とする。
【００２３】
請求項７によると、画像データ生成装置がパケットを所定期間受信していない端末装置の識別情報及び登録照合情報を記憶手段から削除するので、記憶手段の記憶領域を有効に利用することが可能になる。
【００２４】
請求項８に記載の画像データ送受信システムは、請求項１から請求項７のいずれか１項に記載の画像データ送受信システムにおいて、前記パケット送信手段は、前記画像データ生成装置がネットワークに参加したことを検出した際に、前記パケットの送信を実行することを特徴とする。
【００２５】
請求項８によると、端末装置は、画像データ生成装置のネットワーク参加に基づいて、パケット送信手段によるパケットの送信を実行するので、画像データ生成装置がネットワークに参加していないのに、パケット送信してしまうという無駄な処理を無くすことが可能になる。
【００２６】
尚、請求項１１、及び請求項１２に記載のプログラムは、ＣＤ−ＲＯＭ（Ｃｏｍｐａｃｔ  Ｄｉｓｃ  Ｒｅａｄ  Ｏｎｌｙ  Ｍｅｍｏｒｙ）などのリムーバブル型記録媒体に記録して配布可能である他、インターネットなどの通信ネットワークを介して配布可能である。
【００２７】
【発明の実施の形態】
以下、本発明の実施の形態における画像データ送受信システムについて図面を参照しつつ説明する。
【００２８】
まず、本発明の実施の形態における画像データ送受信システムのシステム構成について図１及び図２を参照しつつ説明する。図１は、画像データ送受信システムのシステム構成の一例を示す図である。図２は、図１の画像データ送受信システムを構成する一部の装置の装置構成の一例を示す図である。
【００２９】
画像データ送受信システム１は、図１に一例を示すように、スキャナ２と、パーソナルコンピュータ３、４、５ａ、５ｂ、５ｃと、ハブ６、７ａ、７ｂ、７ｃとを備えている。スキャナ２はハブ６を介してローカルエリアネットワーク（Ｌｏｃａｌ  Ａｒｅａ  Ｎｅｔｗｏｒｋ：ＬＡＮ）８のＬＡＮケーブルに接続され、パーソナルコンピュータ５ａ、５ｂ、５ｃは、夫々、ハブ７ａ、７ｂ、７ｃを介してＬＡＮ８のＬＡＮケーブルに接続されている。また、パーソナルコンピュータ３とスキャナ２とはＵＳＢ（Ｕｎｉｖｅｒｓａｌ  Ｓｅｒｉａｌ  Ｂｕｓ）インターフェースで接続され、パーソナルコンピュータ４とスキャナ２とはパラレル（Ｐａｒａｌｌｅｌ）インターフェースで接続されている。
【００３０】
図１のスキャナ２は、図２（ａ）に示すように、ＣＰＵ２１と、ＲＯＭ２２と、ＲＡＭ２３と、ＮＶＲＡＭ２４と、操作パネル２５と、読取部２６と、ネットワークインターフェース（ネットワークＩ／Ｆ）２７と、ＵＳＢインターフェース（ＵＳＢ  Ｉ／Ｆ）２８と、パラレルインターフェース（パラレルＩ／Ｆ）２９とを備えている。
【００３１】
ＣＰＵ（Ｃｅｎｔｒａｌ  Ｐｒｏｃｅｓｓｉｎｇ  Ｕｎｉｔ）２１は、各種演算処理を行うものであって、中央演算処理装置として機能する。
本実施の形態におけるＣＰＵ２１は、電源投入時などに、自機器（スキャナ２）に接続されているパーソナルコンピュータ及び当該パーソナルコンピュータにインストールされているアプリケーションソフトなどの情報、並びに自機器に付与された登録照合情報などの登録情報をＮＶＲＡＭ２４の後述する登録情報データベース（図３参照）に格納する登録情報格納処理を自機器に実行させるための登録情報格納処理プログラムをＲＯＭ２２から読み出し、読み出した登録情報格納処理プログラムに沿って登録情報格納処理（図６参照）を実行する。
また、ＣＰＵ２１は、電源投入時などに、登録情報データベース（図３参照）に格納されたパーソナルコンピュータ及び当該パーソナルコンピュータにインストールされているアプリケーションソフトなどの情報、並びに登録照合情報などの登録情報を当該登録情報データベースから削除する登録情報削除処理を自機器に実行させるための登録情報削除処理プログラムをＲＯＭ２２から読み出し、読み出した登録情報削除処理プログラムに沿って登録情報削除処理（図７参照）を実行する。
さらに、ＣＰＵ２１は、ユーザによる画像の読み取りに関するキー操作（スキャン操作）に応じ、ユーザにより選択されたパーソナルコンピュータに対してユーザにより選択されたアプリケーションソフトを通知するとともに、自機器にセットされた原稿を読み取り、読み取った原稿の画像データをユーザにより選択されたパーソナルコンピュータへ送信する画像データ処理を自機器に実行させるための画像データ処理プログラムをＲＯＭ２２から読み出し、読み出した画像データ処理プログラムに沿って画像データ処理（図８参照）を実行する。
【００３２】
ＲＯＭ（Ｒｅａｄ  Ｏｎｌｙ  Ｍｅｍｏｒｙ）２２は、読み出し専用の記憶装置であって、スキャナ２の主記憶装置の一部を構成するものである。このＲＯＭ２２には、システムプログラムや、上記登録情報格納処理プログラム、上記登録情報削除処理プログラム、上記画像データ処理プログラムなど、各種プログラムが格納されている。
【００３３】
ＲＡＭ（Ｒａｎｄｏｍ  Ａｃｃｅｓｓ  Ｍｅｍｏｒｙ）２３は、読み出し・書き込み可能な揮発性記憶装置であって、ＲＯＭ２２と同様にスキャナ２の主記憶装置の一部を構成するものである。ＲＡＭ２３には、データ処理の中間結果を格納するためのワークエリアなどがある。
【００３４】
ＮＶＲＡＭ（Ｎｏｎ  Ｖｏｌａｔｉｌｅ  Ｒａｎｄｏｍ  Ａｃｃｅｓｓ  Ｍｅｍｏｒｙ）２４は、読み出し・書き込み可能であって、電源オフ時にも記憶したデータを記憶し続けることが可能な記憶装置である。このＮＶＲＡＭ２４には、図３に例を示す自機器（スキャナ２）に接続されたパーソナルコンピュータや当該パーソナルコンピュータにインストールされているアプリケーションソフトなどの情報、並びに暗号化された登録照合情報などの登録情報を格納する登録情報データベース（記憶手段）が記憶されている。
【００３５】
ここで、登録情報データベースについて図３を参照しつつ説明する。図３は登録情報データベースの例を示す図である。登録情報データベースは、図３（ａ）、（ｂ）に例を示すように、スキャナ２に接続されているパーソナルコンピュータの名称又はパーソナルコンピュータが接続されているインターフェースの名称（送信先）、当該パーソナルコンピュータにインストールされているアプリケーションソフト、当該パーソナルコンピュータのＩＰアドレス、当該パーソナルコンピュータに関するポート番号、情報を保持する時間に関連したタイムアウト値（時間が経過する度に徐々に減算されていく値）、当該パーソナルコンピュータに付与された登録照合情報であって暗号化されたものからなる。
【００３６】
操作パネル２５は、ディスプレイなどにより情報を出力して表示する表示装置と、外部からの入力操作を行う入力装置とを備えており、例えば、液晶表示器やプラズマ表示器などにより構成され、表示面に入力装置としての操作部を構成するタッチパネルなどを備えるものである。この操作パネル２５の表示部には、ユーザによる操作パネル２５の操作部の所定の操作により、図４に例を示す選択画面（この選択画面には、画像データを送信する送信先の端末装置を選択するための端末装置選択群及び画像データを処理するアプリケーションソフトを選択するためのアプリケーションソフト選択群が含まれている。）が表示される。そして、この選択画面を利用して画像データを送信する送信先の端末装置を選択する（送信先選択手段）とともに、画像データを処理するアプリケーションソフトを選択する。また、操作パネル２５の操作部は、ユーザが入力照合情報（登録照合情報と比較され、両者が一致する場合にスキャナ２からユーザにより選択されたパーソナルコンピュータへの画像データの送信が許可される。）を入力するのに利用される（照合情報入力手段）。
【００３７】
ここで、選択画面について図４を参照しつつ説明する。図４は、選択画面の例を示す図である。
【００３８】
選択画面は、図４（ａ）、（ｂ）の例では、画面左側に画像データを処理するアプリケーションソフトを選択するためのアプリケーションソフト選択群が表示され、画面右側に画像データを送信する端末装置を選択するための端末装置選択群が表示されており、はじめに、アプリケーションソフト選択群から選択するようになっている。これは、図３（ａ）に例を示す登録情報データベースのように、アプリケーションソフトの数（Ｓｃａｎ  ｔｏ  Ｅｍａｉｌ、Ｓｃａｎ  ｔｏ  Ｉｍａｇｅ、Ｓｃａｎ  ｔｏ  ＯＣＲの計３つ）が、送信先の数（ＰＣ１、ＰＣ２、ＰＣ３、ＵＳＢ、Ｐａｒａｌｌｅｌの計５つ）より少ない場合の選択画面の例である。
アプリケーションソフト選択群の表示は、登録情報データベースに格納されているアプリケーションソフトの名称になる。
端末装置選択群の表示は、登録情報データベースに格納されている送信先の名称になる。そして、アプリケーションソフト選択群でアプリケーションソフトが選択されると、選択されたアプリケーションソフトに関して、登録情報データベースに登録されている端末装置のみが端末装置選択群に表示されることになる（図３（ａ）、図４（ａ）、（ｂ）参照）。
但し、端末装置選択群の表示は、スキャナ２にネットワーク接続されているパーソナルコンピュータに関してはパーソナルコンピュータの名称となり、スキャナ２にローカル接続されているパーソナルコンピュータに関してはスキャナ２とパーソナルコンピュータとを接続するインターフェースの名称となる。また、端末装置選択群では、パーソナルコンピュータの名称かインターフェースの名称かを明確に区別できるように、図４の場合、インターフェースの名称を“＜＞”で囲っている。
【００３９】
選択画面は、図４（ｃ）、（ｄ）の例では、画面左側に端末装置選択群が表示され、画面右側にアプリケーションソフト選択群が表示されており、はじめに、端末装置選択群から選択するように構成されている。これは、図３（ｂ）に例を示す登録情報データベースのように、送信先の数（ＰＣ３、ＵＳＢの計２つ）がアプリケーションソフトの数（Ｓｃａｎ  ｔｏ  Ｅｍａｉｌ、Ｓｃａｎ  ｔｏ  Ｉｍａｇｅ、Ｓｃａｎ  ｔｏ  ＯＣＲの計３つ）より少ない場合の選択画面の例である。
端末装置選択群で端末装置が選択されると、選択された端末装置に関して、登録情報データベースに登録されているアプリケーションソフトのみがアプリケーションソフト選択群に表示されることになる（図３（ｂ）、図４（ｃ）、（ｄ）参照）。
尚、これら以外は、図４（ａ）、（ｂ）の端末装置選択群及びアプリケーションソフト選択群と実質的に同じである。
また、画面の表示方法については、図４に示したように、端末装置選択群とアプリケーションソフト選択群とを一度に表示する方法でも良いし、個別に表示する方法でも良い。
【００４０】
読取部２６は、セットされた原稿を読み取り、読み取った原稿の画像データを生成するスキャナ機能を提供するものである（画像データ生成手段）。
【００４１】
ネットワークインターフェース２７は、スキャナ２をハブ６を介してＬＡＮ８に接続し、プリンタ２とＬＡＮ８の先に接続されているパーソナルコンピュータ５ａ、５ｂ、５ｃなどの各装置との間の通信を可能にするものである。ＵＳＢインターフェース２８は、スキャナ２をパーソナルコンピュータ３に接続し、パーソナルコンピュータ３との通信を可能にするものである。パラレルインターフェース２９は、スキャナ２をパーソナルコンピュータ４に接続し、パーソナルコンピュータ４との通信を可能にするものである。
【００４２】
図１のパーソナルコンピュータ３、４、５ａ、５ｂ、５ｃは、図２（ｂ）に示すように、ＣＰＵ３１と、ＲＯＭ３２と、ＲＡＭ３３と、ＨＤＤ３４と、操作部３５と、表示部３６と、インターフェース３７とを備えている。
【００４３】
ＣＰＵ３１は、各種演算処理を行うものであって、中央演算処理装置として機能する。
本実施の形態におけるＣＰＵ３１は、電源投入時などに、自機器の名称（例えば、ユーザにより決められた名称）、自機器のＩＰアドレス、ポート番号、タイムアウト値、自機器にインストールされているアプリケーションソフトなどの情報、並びに自機器に付与された登録照合情報（暗号化処理が行われて暗号化されている。）などの登録情報をスキャナ２へ送信する登録情報送信処理を自機器に実行させるための登録情報送信処理プログラムをＨＤＤ３４から読み出し、読み出した登録情報送信処理プログラムに沿って登録情報送信処理（図５参照）を実行する。
また、ＣＰＵ３１は、スキャナ２から通知されたアプリケーションソフトにてスキャナ２から送られてくる画像データを処理する画像データ処理を自機器に実行させるための画像データ処理プログラムをＨＤＤ３４から読み出し、読み出した画像データ処理プログラムに沿って画像データ処理（図９参照）を実行する。
【００４４】
ＲＯＭ３２は、読み出し専用の記憶装置であって、パーソナルコンピュータの主記憶装置の一部を構成するものである。このＲＯＭ３２には、システムプログラムなど各種プログラムが格納されている。
【００４５】
ＲＡＭ３３は、読み出し・書き込み可能な揮発性記憶装置であって、ＲＯＭ３２と同様にパーソナルコンピュータの主記憶装置の一部を構成するものである。ＲＡＭ３３には、データ処理の中間結果を格納するためのワークエリアなどがある。
【００４６】
ＨＤＤ（Ｈａｒｄ  Ｄｉｓｋ  Ｄｒｉｖｅ）３４は、読み出し・書き込み可能な記憶装置（ハードディスク）及びその読取装置である。このＨＤＤ３４には、自機器の名称やＩＰアドレス、登録照合情報などの他、上記登録情報送信処理プログラム、上記画像データ処理プログラム、上記各種アプリケーションソフトなど、が記憶されている。
【００４７】
操作部３５は、パーソナルコンピュータの入力装置を構成するものである。この操作部３５は、所定数の入力キーを並べてなるキーボードやマウスなどのポインティングデバイスなどで構成されている。表示部３６は、ディスプレイなどにより情報を出力して表示する表示装置であり、例えば、液晶表示器やプラズマ表示器などにより構成される。尚、液晶表示器には、ＳＴＮ方式やＤＳＴＮ方式などの単純マトリックス方式のものや、ＴＦＴなどのアクティブマトリックス方式のものなどがある。
【００４８】
インターフェース３７は、パーソナルコンピュータ３の場合、スキャナ２のＵＳＢインターフェース２８に接続され、パーソナルコンピュータ３とスキャナ２との間の通信を可能にするものである。また、パーソナルコンピュータ４の場合、スキャナ２のパラレルインターフェース２９に接続され、パーソナルコンピュータ４とスキャナ２との間の通信を可能にするものである。また、パーソナルコンピュータ５ａ、５ｂ、５ｃの場合、パーソナルコンピュータ５ａ、５ｂ、５ｃをハブ７ａ、７ｂ、７ｃを介してＬＡＮ８に接続し、パーソナルコンピュータ５ａ、５ｂ、５ｃとＬＡＮ８の先に接続されているスキャナ２などの各装置との間の通信を可能にするものである。
【００４９】
以下、画像データ送受信システム１において行われる登録情報送信処理について図５を参照しつつ説明する。図５は、画像データ送受信システム１を構成するパーソナルコンピュータ３、４、５ａ、５ｂ、５ｃが行う登録情報送信処理の動作フローを示すフローチャートである。図５の登録情報送信処理の実行は、パーソナルコンピュータ３、４、５ａ、５ｂ、５ｃの電源投入時などに、パーソナルコンピュータのＣＰＵ３１によってＨＤＤ３４から上述した登録情報送信処理プログラムが読み出されて開始される。
【００５０】
ステップＳ１０１において、ＣＰＵ３１は、自機器に電子メールに画像データを添付して送信するアプリケーションソフト（以下、適宜、Ｓｃａｎ  ｔｏ  Ｅｍａｉｌ用のアプリケーションソフトと言う。）がＨＤＤ３４にインストールされているか否かを判定する。Ｓｃａｎ  ｔｏ  Ｅｍａｉｌ用のアプリケーションソフトがインストールされていると判定された場合には（Ｓ１０１：ＹＥＳ）、ステップＳ１０２の処理へ移行する。一方、Ｓｃａｎ  ｔｏ  Ｅｍａｉｌ用のアプリケーションソフトがインストールされていないと判定された場合には（Ｓ１０１：ＮＯ）、ステップＳ１０５の処理へ移行する。
【００５１】
ステップＳ１０１の判定ステップでＳｃａｎ  ｔｏ  Ｅｍａｉｌ用のアプリケーションソフトがインストールされていると判定されると（Ｓ１０１：ＹＥＳ）、ステップＳ１０２において、ＣＰＵ３１は、登録照合情報をスキャナ２に送信する登録情報に付加するか否かを判定する。登録照合情報を付加すると判定された場合には（Ｓ１０２：ＹＥＳ）、ステップＳ１０３の処理へ移行する。一方、登録照合情報を付加しないと判定された場合には（Ｓ１０２：ＮＯ）、ステップＳ１０４の処理へ移行する。尚、例えば、登録照合情報を付加するか否かの判定は、ユーザが予め登録照合情報を付加するか否かを指定し、この指定があるか否かにより行う。
【００５２】
ステップＳ１０２の判定ステップで登録照合情報を付加すると判定されると（Ｓ１０２：ＹＥＳ）、ステップＳ１０３において、ＣＰＵ３１は、登録照合情報を暗号化し、暗号化した登録照合情報を付加したＳｃａｎ  ｔｏ  Ｅｍａｉｌ用の登録情報（＜自機器のＩＰアドレス＞：＜ポート番号＞：＜自機器の名称（登録情報データベースに格納される送信先）＞：＜Ｓｃａｎ  ｔｏ  Ｅｍａｉｌ用のアプリケーションソフトを指す情報＞：＜タイムアウト値＞：＜暗号化された登録照合情報＞）を作成する。但し、ＵＳＢを介して接続されたパーソナルコンピュータ３と、パラレルを介して接続されたパーソナルコンピュータ４については、＜自機器のＩＰアドレス＞及び＜ポート番号＞は含まれていない登録情報を作成する。そして、パーソナルコンピュータは、ＣＰＵ３１に制御されて、作成した登録情報をパケットに格納して、スキャナ２に送信する。そして、ステップＳ１０５の処理へ移行する。尚、このステップＳ１０３の処理で登録照合情報を暗号化するＣＰＵ３１が、登録照合情報暗号化手段に相当する。また、暗号化された登録照合情報を登録情報に付加するＣＰＵ３１が、登録照合情報付加手段に相当する。さらに、登録情報を格納したパケットを送信するＣＰＵ３１が、パケット送信手段に相当する。
【００５３】
ステップＳ１０２の判定ステップで登録照合情報を付加しないと判定されると（Ｓ１０２：ＮＯ）、ステップＳ１０４において、ＣＰＵ３１は、Ｓｃａｎ  ｔｏ  Ｅｍａｉｌ用の登録情報（＜自機器のＩＰアドレス＞：＜ポート番号＞：＜自機器の名称＞：＜Ｓｃａｎ  ｔｏ  Ｅｍａｉｌ用のアプリケーションソフトを指す情報＞：＜タイムアウト値＞）を作成する。但し、ＵＳＢを介して接続されたパーソナルコンピュータ３と、パラレルを介して接続されたパーソナルコンピュータ４については、＜自機器のＩＰアドレス＞及び＜ポート番号＞は含まれていない登録情報を作成する。そして、パーソナルコンピュータは、ＣＰＵ３１に制御されて、作成した登録情報をパケットに格納して、スキャナ２に送信する。そして、ステップＳ１０５の処理へ移行する。尚、このステップＳ１０４の処理で登録情報を格納したパケットを送信するＣＰＵ３１が、パケット送信手段に相当する。
【００５４】
ステップＳ１０５において、ＣＰＵ３１は、自機器に画像データを編集するアプリケーションソフト（以下、適宜、Ｓｃａｎ  ｔｏ  Ｉｍａｇｅ用のアプリケーションソフトと言う。）がインストールされているか否かを判定する。Ｓｃａｎ  ｔｏ  Ｉｍａｇｅ用のアプリケーションソフトがＨＤＤ３４にインストールされていると判定された場合には（Ｓ１０５：ＹＥＳ）、ステップＳ１０６の処理へ移行する。一方、Ｓｃａｎｔｏ  Ｉｍａｇｅ用のアプリケーションソフトがインストールされていないと判定された場合には（Ｓ１０５：ＮＯ）、ステップＳ１０９の処理へ移行する。
【００５５】
ステップＳ１０５の判定ステップでＳｃａｎ  ｔｏ  Ｉｍａｇｅ用のアプリケーションソフトがインストールされていると判定されると（Ｓ１０５：ＹＥＳ）、ステップＳ１０６において、ＣＰＵ３１は、登録照合情報をスキャナ２に送信する登録情報に付加するか否かを判定する。登録照合情報を付加すると判定された場合には（Ｓ１０６：ＹＥＳ）、ステップＳ１０７の処理へ移行する。一方、登録照合情報を付加しないと判定された場合には（Ｓ１０６：ＮＯ）、ステップＳ１０８の処理へ移行する。
【００５６】
ステップＳ１０６の判定ステップで登録照合情報を付加すると判定されると（Ｓ１０６：ＹＥＳ）、ステップＳ１０７において、ＣＰＵ３１は、登録照合情報を暗号化し、暗号化した登録照合情報を付加したＳｃａｎ  ｔｏ  Ｉｍａｇｅ用の登録情報（＜自機器のＩＰアドレス＞：＜ポート番号＞：＜自機器の名称＞：＜Ｓｃａｎ  ｔｏ  Ｉｍａｇｅ用のアプリケーションソフトを指す情報＞：＜タイムアウト値＞：＜暗号化された登録照合情報＞）を作成する。但し、ＵＳＢを介して接続されたパーソナルコンピュータ３と、パラレルを介して接続されたパーソナルコンピュータ４については、＜自機器のＩＰアドレス＞及び＜ポート番号＞は含まれていない登録情報を作成する。そして、パーソナルコンピュータは、ＣＰＵ３１に制御されて、作成した登録情報をパケットに格納して、スキャナ２に送信する。そして、ステップＳ１０９の処理へ移行する。尚、このステップＳ１０７の処理で登録照合情報を暗号化するＣＰＵ３１が、登録照合情報暗号化手段に相当する。また、暗号化された登録照合情報を登録情報に付加するＣＰＵ３１が、登録照合情報付加手段に相当する。さらに、登録情報を格納したパケットを送信するＣＰＵ３１が、パケット送信手段に相当する。
【００５７】
ステップＳ１０６の判定ステップで登録照合情報を付加しないと判定されると（Ｓ１０６：ＮＯ）、ステップＳ１０８において、ＣＰＵ３１は、Ｓｃａｎ  ｔｏ  Ｉｍａｇｅ用の登録情報（＜自機器のＩＰアドレス＞：＜ポート番号＞：＜自機器の名称＞：＜Ｓｃａｎ  ｔｏ  Ｉｍａｇｅ用のアプリケーションソフトを指す情報＞：＜タイムアウト値＞）を作成する。但し、ＵＳＢを介して接続されたパーソナルコンピュータ３と、パラレルを介して接続されたパーソナルコンピュータ４については、＜自機器のＩＰアドレス＞及び＜ポート番号＞は含まれていない登録情報を作成する。そして、パーソナルコンピュータは、ＣＰＵ３１に制御されて、作成した登録情報をパケットに格納して、スキャナ２に送信する。そして、ステップＳ１０９の処理へ移行する。尚、このステップＳ１０８の処理で登録情報を格納したパケットを送信するＣＰＵ３１が、パケット送信手段に相当する。
【００５８】
ステップＳ１０９において、ＣＰＵ３１は、自機器に画像データを解析して文字の認識を行うアプリケーションソフト（以下、適宜、Ｓｃａｎ  ｔｏ  ＯＣＲ用のアプリケーションソフトと言う。）がＨＤＤ３４にインストールされているか否かを判定する。Ｓｃａｎ  ｔｏ  ＯＣＲ用のアプリケーションソフトがインストールされていると判定された場合には（Ｓ１０９：ＹＥＳ）、ステップＳ１１０の処理へ移行する。一方、Ｓｃａｎ  ｔｏ  ＯＣＲ用のアプリケーションソフトがインストールされていないと判定された場合には（Ｓ１０９：ＮＯ）、ステップＳ１１３の処理へ移行する。
【００５９】
ステップＳ１０９の判定ステップでＳｃａｎ  ｔｏ  ＯＣＲ用のアプリケーションソフトがインストールされていると判定されると（Ｓ１０９：ＹＥＳ）、ステップＳ１１０において、ＣＰＵ３１は、登録照合情報をスキャナ２に送信する登録情報に付加するか否かを判定する。登録照合情報を付加すると判定された場合には（Ｓ１１０：ＹＥＳ）、ステップＳ１１１の処理へ移行する。一方、登録照合情報を付加しないと判定された場合には（Ｓ１１０：ＮＯ）、ステップＳ１１２の処理へ移行する。
【００６０】
ステップＳ１１０の判定ステップで登録照合情報を付加すると判定されると（Ｓ１１０：ＹＥＳ）、ステップＳ１１１において、ＣＰＵ３１は、登録照合情報を暗号化し、暗号化した登録照合情報を付加したＳｃａｎ  ｔｏ  ＯＣＲ用の登録情報（＜自機器のＩＰアドレス＞：＜ポート番号＞：＜自機器の名称＞：＜Ｓｃａｎ  ｔｏ  ＯＣＲ用のアプリケーションソフトを指す情報＞：＜タイムアウト値＞：＜暗号化された登録照合情報＞）を作成する。但し、ＵＳＢを介して接続されたパーソナルコンピュータ３と、パラレルを介して接続されたパーソナルコンピュータ４については、＜自機器のＩＰアドレス＞及び＜ポート番号＞は含まれていない登録情報を作成する。そして、パーソナルコンピュータは、ＣＰＵ３１に制御されて、作成した登録情報をパケットに格納して、スキャナ２に送信する。そして、ステップＳ１１３の処理へ移行する。尚、このステップＳ１１１の処理で登録照合情報を暗号化するＣＰＵ３１が、登録照合情報暗号化手段に相当する。また、暗号化された登録照合情報を登録情報に付加するＣＰＵ３１が、登録照合情報付加手段に相当する。さらに、登録情報を格納したパケットを送信するＣＰＵ３１が、パケット送信手段に相当する。
【００６１】
ステップＳ１１０の判定ステップで登録照合情報を付加しないと判定されると（Ｓ１１０：ＮＯ）、ステップＳ１１２において、ＣＰＵ３１は、Ｓｃａｎ  ｔｏ  ＯＣＲ用の登録情報（＜自機器のＩＰアドレス＞：＜ポート番号＞：＜自機器の名称＞：＜Ｓｃａｎ  ｔｏ  ＯＣＲ用のアプリケーションソフトを指す情報＞：＜タイムアウト値＞）を作成する。但し、ＵＳＢを介して接続されたパーソナルコンピュータ３と、パラレルを介して接続されたパーソナルコンピュータ４については、＜自機器のＩＰアドレス＞及び＜ポート番号＞は含まれていない登録情報を作成する。そして、パーソナルコンピュータは、ＣＰＵ３１に制御されて、作成した登録情報をパケットに格納して、スキャナ２に送信する。そして、ステップＳ１１３の処理へ移行する。尚、このステップＳ１１２の処理で登録情報を格納したパケットを送信するＣＰＵ３１が、パケット送信手段に相当する。
【００６２】
ステップＳ１１３において、ＣＰＵ３１は、一定時間経過したか否かを判定する。一定時間経過していないと判定された場合には（Ｓ１１３：ＮＯ）、ステップＳ１１３の処理に戻って、一定時間経過するのを監視する。一方、一定時間経過したと判定された場合には（Ｓ１１３：ＹＥＳ）、ステップＳ１０１の処理に戻って、上述したステップＳ１０１からステップＳ１１３の処理を繰り返す。
【００６３】
以下、画像データ送受信システム１において行われる登録情報格納処理について図６を参照しつつ説明する。図６は、画像データ送受信システム１を構成するスキャナ２が行う登録情報格納処理の動作フローを示すフローチャートである。図６の登録情報格納処理の実行は、スキャナ２の電源投入時などに、スキャナ２のＣＰＵ２１によってＲＯＭ２２から上述した登録情報格納処理プログラムが読み出されて開始される。
【００６４】
ステップＳ２０１において、スキャナ２のＣＰＵ２１は、ネットワークインターフェース２７を介して登録情報（Ｓｃａｎ  ｔｏ  Ｅｍａｉｌ用の登録情報、Ｓｃａｎ  ｔｏ  Ｉｍａｇｅ用の登録情報、Ｓｃａｎ  ｔｏ  ＯＣＲ用の登録情報の少なくともいずれか）を格納したパケットを受信したか否かを判定する。ネットワークインターフェース２７を介してパケットを受信したと判定された場合には（Ｓ２０１：ＹＥＳ）、ステップＳ２０２の処理へ移行する。一方、ネットワークインターフェース２７を介してパケットを受信していないと判定された場合には（Ｓ２０１：ＮＯ）、ステップＳ２０５の処理へ移行する。尚、このステップＳ２０１でパケットを受信するＣＰＵ２１が、パケット受信手段に相当する。
【００６５】
ステップＳ２０１の判定ステップでネットワークインターフェース２７を介してパケットを受信したと判定されると（Ｓ２０１：ＹＥＳ）、ステップＳ２０２において、ＣＰＵ２１は、ＮＶＲＡＭ２４に記憶されている図３に例を示す登録情報データベースに、受信したパケットに格納された登録情報に関する情報（送信先の名称、アプリケーションソフトの情報、ＩＰアドレス、ポート番号、暗号化された登録照合情報：暗号化された登録照合情報はない場合がある。）が既に格納されているか否かを判定する。登録情報データベースに受信したパケットに格納された登録情報に関する情報が既に格納されていると判定された場合には（Ｓ２０２：ＹＥＳ）、ステップＳ２０３の処理へ移行する。一方、登録情報データベースに受信したパケットに格納された登録情報に関する情報が格納されていないと判定された場合には（Ｓ２０２：ＮＯ）、ステップＳ２０４の処理へ移行する。
【００６６】
ステップＳ２０２の判定ステップで登録情報データベースに受信したパケットに格納された登録情報に関する情報が既に格納されていると判定されると（Ｓ２０２：ＹＥＳ）、ステップＳ２０３において、ＣＰＵ２１は、登録情報データベースの受信した登録情報に関する情報のタイムアウト値を受信した登録情報に含まれるタイムアウト値に更新する。そして、ステップＳ２０５の処理へ移行する。
【００６７】
ステップＳ２０２の判定ステップで登録情報データベースに受信したパケットに格納された登録情報に関する情報が格納されていないと判定されると（Ｓ２０２：ＮＯ）、ステップＳ２０４において、ＣＰＵ２１は、受信したパケットから登録情報（送信先の名称、アプリケーションソフトの名称、ＩＰアドレス、ポート番号、タイムアウト値、暗号化された登録照合情報：暗号化された登録照合情報はない場合がある。）を取り出し、取り出した登録情報を登録情報データベースに追加する。これによって、パケットを送信したパーソナルコンピュータのＩＰアドレス（スキャナ２からパーソナルコンピュータへ画像データを送信する際に利用される当該パーソナルコンピュータの識別情報）と当該パーソナルコンピュータに付与された登録照合情報であって暗号化されたものとが関連付けられて、登録情報データベースに登録されることになる。そして、ステップＳ２０５の処理へ移行する。尚、ステップＳ２０４の処理を実行するＣＰＵ２１が、登録照合情報取得手段と関連付け手段に相当する。
【００６８】
ステップＳ２０５において、ＣＰＵ２１は、ＵＳＢインターフェース２８を介して登録情報を格納したパケットを受信したか否かを判定する。ＵＳＢインターフェース２８を介してパケットを受信したと判定された場合には（Ｓ２０５：ＹＥＳ）、ステップＳ２０６の処理へ移行する。一方、ＵＳＢインターフェース２８を介してパケットを受信していないと判定された場合には（Ｓ２０５：ＮＯ）、ステップＳ２０９の処理へ移行する。尚、このステップＳ２０５でパケットを受信するＣＰＵ２１が、パケット受信手段に相当する。
【００６９】
ステップＳ２０５の判定ステップでＵＳＢインターフェース２８を介してパケットを受信したと判定されると（Ｓ２０５：ＹＥＳ）、ステップＳ２０６において、ＣＰＵ２１は、ＮＶＲＡＭ２４に記憶されている図３に例を示す登録情報データベースに、受信したパケットに格納された登録情報に関する情報（送信先の名称、アプリケーションソフトの情報、ＩＰアドレス、ポート番号、暗号化された登録照合情報：暗号化された登録照合情報はない場合がある。）が既に格納されているか否かを判定する。登録情報データベースに受信したパケットに格納された登録情報に関する情報が既に格納されていると判定された場合には（Ｓ２０６：ＹＥＳ）、ステップＳ２０７の処理へ移行する。一方、登録情報データベースに受信したパケットに格納された登録情報に関する情報が格納されていないと判定された場合には（Ｓ２０６：ＮＯ）、ステップＳ２０８の処理へ移行する。
【００７０】
ステップＳ２０６の判定ステップで登録情報データベースに受信したパケットに格納された登録情報に関する情報が既に格納されていると判定されると（Ｓ２０６：ＹＥＳ）、ステップＳ２０７において、ＣＰＵ２１は、登録情報データベースの受信した登録情報に関する情報のタイムアウト値を受信した登録情報に含まれるタイムアウト値に更新する。そして、ステップＳ２０９の処理へ移行する。
【００７１】
ステップＳ２０６の判定ステップで登録情報データベースに受信したパケットに格納された登録情報に関する情報が格納されていないと判定されると（Ｓ２０６：ＮＯ）、ステップＳ２０８において、ＣＰＵ２１は、受信したパケットから登録情報（送信先の名称、アプリケーションソフトの名称、ＩＰアドレス、ポート番号、タイムアウト値、暗号化された登録照合情報：暗号化された登録照合情報はない場合がある。）を取り出す。そして、ＣＰＵ２１は、送信先をＵＳＢとし、取り出した登録情報に含まれるアプリケーションソフトの名称、ＩＰアドレス、ポート番号、タイムアウト値、及びある場合には、暗号化された登録照合情報を登録情報データベースに追加する。これによって、パケットを送信したパーソナルコンピュータのＩＰアドレスと当該パーソナルコンピュータに付与された登録照合情報であって暗号化されたものとが関連付けられて、登録情報データベースに登録されることになる。そして、ステップＳ２０９の処理へ移行する。尚、登録情報データベースの送信先をＵＳＢとするため、登録情報に含まれるパーソナルコンピュータの名称が登録情報データベースに登録されないことになる。また、ステップＳ２０８の処理を実行するＣＰＵ２１が、登録照合情報取得手段と関連付け手段に相当する。
【００７２】
ステップＳ２０９において、ＣＰＵ２１は、パラレルインターフェース２９を介して登録情報を格納したパケットを受信したか否かを判定する。パラレルインターフェース２９を介してパケットを受信したと判定された場合には（Ｓ２０９：ＹＥＳ）、ステップＳ２１０の処理へ移行する。一方、パラレルインターフェース２９を介してパケットを受信していないと判定された場合には（Ｓ２０９：ＮＯ）、ステップＳ２０１の処理へ戻る。尚、このステップＳ２０９でパケットを受信するＣＰＵ２１が、パケット受信手段に相当する。
【００７３】
ステップＳ２０９の判定ステップでパラレルインターフェース２９を介してパケットを受信したと判定されると（Ｓ２０９：ＹＥＳ）、ステップＳ２１０において、ＣＰＵ２１は、ＮＶＲＡＭ２４に記憶されている図３に例を示す登録情報データベースに、受信したパケットに格納された登録情報に関する情報（送信先の名称、アプリケーションソフトの情報、ＩＰアドレス、ポート番号、暗号化された登録照合情報：暗号化された登録照合情報はない場合がある。）が既に格納されているか否かを判定する。登録情報データベースに受信したパケットに格納された登録情報に関する情報が既に格納されていると判定された場合には（Ｓ２１０：ＹＥＳ）、ステップＳ２１１の処理へ移行する。一方、登録情報データベースに受信したパケットに格納された登録情報に関する情報が格納されていないと判定された場合には（Ｓ２１０：ＮＯ）、ステップＳ２１２の処理へ移行する。
【００７４】
ステップＳ２１０の判定ステップで登録情報データベースに受信したパケットに格納された登録情報に関する情報が既に格納されていると判定されると（Ｓ２１０：ＹＥＳ）、ステップＳ２１１において、ＣＰＵ２１は、登録情報データベースの受信した登録情報に関する情報のタイムアウト値を受信した登録情報に含まれるタイムアウト値に更新する。そして、ステップＳ２０１の処理へ戻る。
【００７５】
ステップＳ２１０の判定ステップで登録情報データベースに受信したパケットに格納された登録情報に関する情報が格納されていないと判定されると（Ｓ２１０：ＮＯ）、ステップＳ２１２において、ＣＰＵ２１は、受信したパケットから登録情報（送信先の名称、アプリケーションソフトの名称、ＩＰアドレス、ポート番号、タイムアウト値、暗号化された登録照合情報：暗号化された登録照合情報はない場合がある。）を取り出す。そして、ＣＰＵ２１は、送信先をＰａｒａｌｌｅｌとし、取り出した登録情報に含まれるアプリケーションソフトの名称、ＩＰアドレス、ポート番号、タイムアウト値、及びある場合には暗号化された登録照合情報を登録情報データベースに追加する。これによって、パケットを送信したパーソナルコンピュータのＩＰアドレスと当該パーソナルコンピュータに付与された登録照合情報であって暗号化されたものとが関連付けられて、登録情報データベースに登録されることになる。そして、ステップＳ２０１の処理へ移行する。尚、登録情報データベースの送信先をＰａｒａｌｅｌｌとするため、登録情報に含まれるパーソナルコンピュータの名称が登録情報データベースに登録されないことになる。また、ステップＳ２１２の処理を実行するＣＰＵ２１が、登録照合情報取得手段と関連付け手段に相当する。
【００７６】
以下、画像データ送受信システム１において行われる登録情報削除処理について図７を参照しつつ説明する。図７は、画像データ送受信システム１を構成するスキャナ２が行う登録情報削除処理の動作フローを示すフローチャートである。図７の登録情報削除処理の実行は、スキャナ２の電源投入時などに、スキャナ２のＣＰＵ２１によってＲＯＭ２２から上述した登録情報削除処理プログラムが読み出されて開始される。
【００７７】
ステップＳ３０１において、スキャナ２のＣＰＵ２１は、図３に例を示す登録情報データベースにおいて、タイムアウトした登録情報（タイムアウト値が０に到達した登録情報）があるか否かを判定する。タイムアウトした登録情報があると判定された場合には（Ｓ３０１：ＹＥＳ）、ステップＳ３０２の処理へ移行する。一方、タイムアウトした登録情報がないと判定された場合には（Ｓ３０２：ＮＯ）、ステップＳ３０１の処理へ戻る。
【００７８】
ステップＳ３０２において、ＣＰＵ２１は、タイムアウトした登録情報を登録情報データベースから削除する。そして、ステップＳ３０１の処理へ戻る。
尚、ステップＳ３０２でタイムアウトしたＩＰアドレスや暗号化された登録照合情報などの登録情報（これは、スキャナ２が所定期間パケットを受信しなかったパーソナルコンピュータに関する登録情報）を登録情報データベースから削除するＣＰＵ２１が、記憶情報消去手段に相当する。また、登録情報データベースに記憶されている送信先が端末装置選択群に送信先として表示されることから、タイムアウトした登録情報（これは、スキャナ２が所定期間パケットを受信しなかったパーソナルコンピュータに関する登録情報）を登録情報データベースから削除するＣＰＵ２１が、スキャナ２が所定期間パケットを受信しなかった端末装置を選択対象の端末装置から削除する端末装置削除手段に相当する。
【００７９】
以下、画像データ送受信システム１において行われる画像データ処理について図８を参照しつつ説明する。図８は、画像データ送受信システム１を構成するスキャナ２が行う画像データ処理の動作フローを示すフローチャートである。図８の画像データの処理の実行は、スキャナ２の操作パネル２５に対するユーザの所定のキー操作により、スキャナ２のＣＰＵ２１によってＲＯＭ２２から上述した画像データ処理プログラムが読み出されて開始される。
【００８０】
ステップＳ４０１において、スキャナ２のＣＰＵ２１は、ＮＶＲＡＮ２４に記憶されている登録情報データベースにアクセスする。そして、ステップＳ４０２の処理へ移行する。
【００８１】
ステップＳ４０２において、ＣＰＵ２１は、登録情報データベースの送信先の数とアプリケーションソフトの数の何れが少ないか判定する。アプリケーションソフトの数が少ないと判定された場合には（Ｓ４０２：アプリ）、ステップＳ４０３の処理へ移行する。一方、送信先の数が少ない或いは同じと判定された場合には（Ｓ４０２：送信先）、ステップＳ４０７の処理へ移行する。
例えば、図３（ａ）に例を示す登録情報データベースの場合、アプリケーションソフト（Ｓｃａｎ  ｔｏ  Ｅｍａｉｌ、Ｓｃａｎ  ｔｏ  Ｉｍａｇｅ、Ｓｃａｎ  ｔｏ  ＯＣＲ）の数が３つで、送信先（ＰＣ１、ＰＣ２、ＰＣ３、ＵＳＢ、Ｐａｒａｌｌｅｌ）の数の５つより少ない（Ｓ４０２：アプリ）ので、ステップＳ４０３の処理へ移行する。
また、図３（ｂ）に例を示す登録情報データベースの場合、送信先（ＰＣ３、ＵＳＢ）の数が２つで、アプリケーションソフト（Ｓｃａｎ  ｔｏ  Ｅｍａｉｌ、Ｓｃａｎ  ｔｏ  Ｉｍａｇｅ、Ｓｃａｎ  ｔｏ  ＯＣＲ）の数の３つより少ない（Ｓ４０２：送信先）ので、ステップＳ４０７の処理へ移行する。
【００８２】
ステップＳ４０２の判定ステップでアプリケーションソフトの数の方が少ないと判定されると（Ｓ４０２：アプリ）、ステップＳ４０３において、ＣＰＵ２１は、図４（ａ）に例を示すように、アプリケーションソフト選択群を画面左側に、端末装置選択群（この段階では端末装置に関する情報は表示されていない。）を画面右側に配置した選択画面を表示する。このアプリケーションソフト選択群に表示されるアプリケーションソフトは登録情報データベースに存在するもののみである。但し、この段階の選択画面では、選択画面左側にあるアプリケーションソフト選択群からのみ選択できるようにＣＰＵ２１により制御されている。そして、ステップＳ４０４の処理へ移行する。
【００８３】
ステップＳ４０４において、ＣＰＵ２１は、ステップＳ４０３の処理で表示した選択画面のアプリケーションソフト選択群を利用してユーザによりアプリケーションソフトが選択されたか否かを判定する。アプリケーションソフトが選択されていないと判定された場合には（Ｓ４０４：ＮＯ）、ステップＳ４０４の処理へ戻り、ユーザによるアプリケーションソフトの選択を監視する、一方、アプリケーションソフトが選択されたと判定された場合には（Ｓ４０４：ＹＥＳ）、ステップＳ４０５の処理へ移行する。
【００８４】
ステップＳ４０５において、ＣＰＵ２１は、図３に例を示した登録情報データベースに基づいて、選択画面の端末装置選択群に、ユーザによって選択されたアプリケーションソフトに関連した送信先のみを表示する。そして、ステップＳ４０６の処理へ移行する。
例えば、登録情報データベースが図３（ａ）に示すものであり、図４（ａ）の選択画面のアプリケーションソフト選択群でＳｃａｎ  ｔｏ  Ｅｍａｉｌが選択されると、選択画面の端末装置選択群に表示される送信先は、図４（ｂ）に示すように、ＰＣ１と＜ＵＳＢ＞になる。
【００８５】
ステップＳ４０６において、ＣＰＵ２１は、ステップＳ４０５の処理で表示した選択画面の端末装置選択群を利用してユーザにより送信先が選択されたか否かを判定する。送信先が選択されていないと判定された場合には（Ｓ４０６：ＮＯ）、ステップＳ４０６の処理へ戻り、ユーザによる送信先の選択を監視する。一方、選択先が選択されたと判定された場合には（Ｓ４０６：ＹＥＳ）、ステップＳ４１１の処理へ移行する。
【００８６】
ステップＳ４０２の判定ステップで送信先の数の方が少ない或いは同じと判定されると（Ｓ４０２：送信先）、ステップＳ４０７において、ＣＰＵ２１は、図４（ｃ）に例を示すように、端末装置選択群を画面左側に、アプリケーションソフト選択群（この段階では、アプリケーションソフトに関する情報は表示されていない。）を画面右側に配置した選択画面を表示する。この端末装置選択群に表示される送信先は、登録情報データベースに存在するもののみである。但し、この段階の選択画面では、選択画面左側にある端末装置選択群からのみ選択できるようにＣＰＵ２１により制御されている。そして、ステップＳ４０８の処理へ移行する。
【００８７】
ステップＳ４０８において、ＣＰＵ２１は、ステップＳ４０７の処理で表示した選択画面の端末装置選択群を利用してユーザにより送信先が選択されたか否かを判定する。送信先が選択されていないと判定された場合には（Ｓ４０８：ＮＯ）、ステップＳ４０８の処理へ戻り、ユーザによる送信先の選択を監視する、一方、送信先が選択されたと判定された場合には（Ｓ４０８：ＹＥＳ）、ステップＳ４０９の処理へ移行する。
【００８８】
ステップＳ４０８の判定ステップで送信先が選択されたと判定されると（Ｓ４０８：ＹＥＳ）、ステップＳ４０９において、ＣＰＵ２１は、図３に例を示した登録情報データベースに基づいて、選択画面のアプリケーションソフト選択群に、ユーザによって選択された送信先に関連したアプリケーションソフトのみを表示する。そして、ステップＳ４１０の処理へ移行する。
例えば、登録情報データベースが図３（ｂ）に示すものであり、図４（ｃ）の選択画面の端末装置選択群でＰＣ３が選択されると、選択画面のアプリケーションソフト選択群に表示されるアプリケーションソフトは、図４（ｄ）に示すように、Ｓｃａｎ  ｔｏ  Ｉｍａｇｅ、Ｓｃａｎ  ｔｏ  ＯＣＲになる。
【００８９】
ステップＳ４１０において、ＣＰＵ２１は、ステップＳ４０９の処理で表示した選択画面のアプリケーションソフト選択群を利用してユーザによりアプリケーションソフトが選択されたか否かを判定する。アプリケーションソフトが選択されていないと判定された場合には（Ｓ４１０：ＮＯ）、ステップＳ４１０の処理へ戻り、ユーザによるアプリケーションソフトの選択を監視する。一方、アプリケーションソフトが選択されたと判定された場合には（Ｓ４１０：ＹＥＳ）、ステップＳ４１１の処理へ移行する。
【００９０】
ステップＳ４１１において、ＣＰＵ２１は、ユーザによって選択された送信先に対応する暗号化された登録照合情報が図３に例を示す登録情報データベースにあるか否かを判定する。暗号化された登録照合情報が登録情報データベースにあると判定された場合には（Ｓ４１１：ＹＥＳ）、ステップＳ４１２の処理へ移行する。一方、暗号化された登録照合情報がないと判定された場合には（Ｓ４１１：ＮＯ）、ステップＳ４１５の処理へ移行する。
【００９１】
ステップＳ４１１の判定ステップで暗号化された登録照合情報があると判定されると（Ｓ４１１：ＹＥＳ）、ステップＳ４１２において、スキャナ２は、ＣＰＵ２１に制御されて、ユーザに入力照合情報の入力を要求し、ＣＰＵ２１は、ユーザにより操作パネル２５の操作部を利用して入力照合情報が入力されたか否かを判定する。ユーザにより入力照合情報が入力されていないと判定された場合には（Ｓ４１２：ＮＯ）、ステップＳ４１２の処理に戻って、ユーザによる入力照合情報の入力を監視する。一方、ユーザにより入力照合情報が入力されたと判定された場合には（Ｓ４１２：ＹＥＳ）、ステップＳ４１３の処理へ移行する。
【００９２】
ステップＳ４１２の判定ステップで入力照合情報が入力されたと判定されると（Ｓ４１２：ＹＥＳ）、ステップＳ４１３において、ＣＰＵ２１は、入力された入力照合情報を、登録照合情報を暗号化した暗号化処理と実質的に同じ暗号化処理に基づいて、暗号化する。そして、ステップＳ４１４の処理へ移行する。尚、このステップＳ４１３で入力照合情報を暗号化するＣＰＵ２１が、入力照合情報暗号化手段に相当する。
【００９３】
ステップＳ４１４において、ＣＰＵ２１は、ステップＳ４１３の処理で暗号化された入力照合情報と、選択された送信先に対応する登録情報データベースに記憶されている暗号化された登録照合情報とが、一致するか否かを判定する。両者が一致すると判定された場合には（Ｓ４１４：ＹＥＳ）、ステップＳ４１５の処理へ移行する。つまり、以降の処理で読み取った原稿の画像データを選択された送信先に送信することを許可する。一方、両者が一致しないと判定された場合には（Ｓ４１４：ＮＯ）、画像データ処理を終了する。つまり、画像データを選択された送信先に送信することを拒否する。尚、ステップＳ４１４の処理で暗号化された入力照合情報と暗号化された登録照合情報とが一致するかを判定するＣＰＵ２１が、照合情報判断手段に相当する。また、両者が一致しない場合に画像データ処理を終了し、両者が一致する場合に画像データ処理を継続するＣＰＵ２１が、送信制御手段に相当する。
【００９４】
ステップＳ４１５において、ＣＰＵ２１は、ユーザにより端末装置選択群から選択された送信先のパーソナルコンピュータに対して、当該パーソナルコンピュータの登録情報データベースに格納されているＩＰアドレス、或いは、当該パーソナルコンピュータが接続されているＵＳＢ又はパラレルを利用して、ユーザによりアプリケーションソフト選択群から選択されたアプリケーションソフトを通知する。そして、ステップＳ４１６の処理へ移行する。
【００９５】
ステップＳ４１６において、読取部２６は、ＣＰＵ２１に制御されて、セットされた原稿の読み取りを行う。そして、ステップＳ４１７の処理へ移行する。
【００９６】
ステップＳ４１７において、ＣＰＵ２１は、ユーザにより端末装置選択群を利用して選択された送信先のパーソナルコンピュータに対して、当該パーソナルコンピュータの登録情報データベースに格納されているＩＰアドレス、或いは、当該パーソナルコンピュータが接続されているＵＳＢ又はパラレルを利用して、読取部２６で読み取った原稿の画像データを送信し、画像データ処理を終了する。尚、このステップＳ４１７の処理を実行するＣＰＵ２１が、画像データ送信手段に相当する。
【００９７】
以下、画像データ送受信システム１において行われる画像データ処理について図９を参照しつつ説明する。図９は、画像データ送受信システム１を構成するパーソナルコンピュータ３、４、５ａ、５ｂ、５ｃが行う画像データ処理の動作フローを示すフローチャートである。図９の画像データ処理の実行は、パーソナルコンピュータ３、４、５ａ、５ｂ、５ｃの電源投入時などに、パーソナルコンピュータのＣＰＵ３１によってＨＤＤ３４から上述した画像データ処理プログラムが読み出されて開始される。
【００９８】
ステップＳ５０１において、ＣＰＵ３１は、スキャナ２からアプリケーションソフトの通知を受け取ったか否かを判定する。アプリケーションソフトの通知を受け取っていないと判定された場合には（Ｓ５０１：ＮＯ）、ステップＳ５０１の処理へ戻って、アプリケーションソフトの通知を監視する。一方、アプリケーションソフトの通知を受信したと判定された場合には（Ｓ５０１：ＹＥＳ）、ステップＳ５０２の処理へ移行する。
【００９９】
ステップＳ５０２において、ＣＰＵ３１は、スキャナ２から画像データを受信したか否かを判定する。画像データを受信していないと判定された場合には（Ｓ５０２：ＮＯ）、ステップＳ５０２の処理へ戻って、画像データの受信を監視する。そして、ステップＳ５０３の処理へ移行する。尚、このステップＳ５０２で画像データを受信するＣＰＵ２１の処理が画像データ受信手段に相当する。
【０１００】
ステップＳ５０３において、ＣＰＵ３１は、スキャナ２から受信した画像データを、スキャナ２から通知を受けたアプリケーションソフトにて処理する。そして、ステップＳ５０１の処理へ戻る。
【０１０１】
以上説明したように、本実施の形態における画像データ送受信システム１によれば、パーソナルコンピュータからスキャナ２へ、スキャナ２が画像データを当該パーソナルコンピュータに送信する際に用いるＩＰアドレスを格納したパケットを送信し、スキャナ２ではパーソナルコンピュータから受信したパケットの送信元であるパーソナルコンピュータの中から画像データの送信先となるパーソナルコンピュータを選択するので、スキャナ２で生成した画像データをパーソナルコンピュータへ送信する際のパーソナルコンピュータの指定を簡単に行うことが可能になる。
【０１０２】
また、画像データを送信する送信先のパーソナルコンピュータに対応する登録照合情報と一致する入力照合情報を入力しないと、画像データがスキャナ２からパーソナルコンピュータへ送信されないように制御されるため、画像データを他のユーザのパーソナルコンピュータへ送信する悪戯や、パーソナルコンピュータの選択の間違いにより希望しないパーソナルコンピュータへの画像データの送信を効果的に防止することができる。
【０１０３】
さらに、ＩＰアドレスなどと同じパケットで暗号化された登録照合情報を送信するので、通信の負荷を軽減することができる。
【０１０４】
また、パーソナルコンピュータからスキャナ２へ登録照合情報を暗号化して送信するので、登録照合情報が他人に知られることを効果的に回避することが可能になる。さらに、一般に暗号化された情報を復号化するよりも実質的に同じ暗号化処理に基づいて情報を暗号化する方が容易であることを踏まえれば、登録照合情報を暗号化した暗号化処理と実質的に同じ暗号化処理で入力照合情報を暗号化して両者の一致を判断しているため、暗号化された登録照合情報を復号化して入力照合情報との一致を判断するものに比べ、実施が容易になるという利点がある。
【０１０５】
さらに、所定期間パケットを受信しなかった登録情報を登録情報格納ベースから削除するので、ＮＶＲＡＭ２４の記憶領域を有効活用できると共に、端末装置選択群で表示される送信先がスキャナがパケットを所定期間内に受信したもののみになるので、ユーザによる画像データを送信する送信先の選択が容易になる。
【０１０６】
以上、本発明の好適な実施の形態について説明したが、本発明は上述の実施の形態に限られるものではなく、特許請求の範囲に記載した限りにおいて様々な設計変更が可能なものである。例えば、上記実施の形態では、画像データ生成装置の例としてスキャナ２を挙げているが、デジタルカメラなどその他のものであってもよい。また、アプリケーションソフトの例として、Ｓｃａｎ  ｔｏ  Ｅｍａｉｌ、Ｓｃａｎ  ｔｏＩｍａｇｅ、Ｓｃａｎ  ｔｏ  ＯＣＲを例に挙げて説明しているが、画像データをＦＡＸ送信するアプリケーションソフト（Ｓｃａｎ  ｔｏ  ＦＡＸ）などその他のものであってもよい。
【０１０７】
また、上記実施の形態では、パーソナルコンピュータからスキャナ２へ暗号化した登録照合情報を送信し、入力照合情報を暗号化して登録照合情報と一致するか否かを判断している場合であるが、パーソナルコンピュータからスキャナ２へ登録照合情報（暗号化されていないもの）を送信し、暗号化せずにそのまま、入力照合情報を登録照合情報と一致するか否かを判断するように構成してもよい。また、パーソナルコンピュータからスキャナ２へ暗号化された登録照合情報を送信し、暗号化された登録所照合情報を復号化した後に、入力照合情報を復号化された登録照合情報と一致するか否かを判断するように構成しても良い。
さらに、パーソナルコンピュータからスキャナ２へ登録照合情報を送らずに、スキャナ２で入力照合情報が入力されると入力照合情報をスキャナ２からユーザにより選択されたパーソナルコンピュータへ送信し、パーソナルコンピュータで入力照合情報を登録照合情報と一致するか否かを判断し、一致する場合にスキャナ２に画像データの送信を許可するように構成しても良い。
また、パーソナルコンピュータからスキャナ２へ登録照合情報を送らずに、スキャナ２で入力照合情報が入力されると入力照合情報を暗号化して、暗号化された入力照合情報をスキャナ２からユーザにより選択されたパーソナルコンピュータへ送信し、パーソナルコンピュータで暗号化された入力照合情報を、入力照合情報が暗号化された暗号化処理と実質的に同じ暗号化処理に従って暗号化された登録照合情報と一致するか否かを判断し、一致する場合にスキャナ２に画像データの送信を許可するように構成しても良い。
さらに、パーソナルコンピュータからスキャナ２へ登録照合情報を送らずに、スキャナ２で入力照合情報が入力されると入力照合情報を暗号化して、暗号化された入力照合情報をスキャナ２からユーザにより選択されたパーソナルコンピュータへ送信し、パーソナルコンピュータで暗号化された入力照合情報を復号化して、復号化した後の入力照合情報を登録照合情報と一致するか否かを判断し、一致する場合にスキャナ２に画像データの送信を許可するように構成しても良い。
【０１０８】
さらに、登録情報データベースに格納した登録情報をパーソナルコンピュータから削除することができるように構成してもよい。
【０１０９】
また、登録情報データベースは、ＮＶＲＡＭ２４に記憶されており、スキャナ２の電源がＯＦＦにされても登録情報を保存できる例を挙げて説明したが、登録情報データベースをＲＡＭ２３に記憶させ、スキャナ２の電源がＯＦＦにされると登録情報が消去される構成であっても良い。
【０１１０】
さらに、アプリケーションソフトを指す情報を格納したパケットを送信するか否かの判断は、アプリケーションソフトがパーソナルコンピュータのＨＤＤ３４にインストールされているか否かの判断（Ｓ１０１、Ｓ１０５、Ｓ１０９）に基づいて行われる例を挙げて説明したが、ユーザによってそのアプリケーションソフトを利用するか否かを選択させ、その選択結果に基づいて、上記アプリケーションソフトを指す情報を格納したパケットを送信するか否かを判断してもよい。
【０１１１】
また、本実施の形態では、登録情報データベース（図３）中のタイムアウト値を徐々に減算されていき、その値が０になった際に（図７、Ｓ３０１：ＹＥＳ）、登録情報データベースからその登録情報を削除したが、これに限らず、例えば、一週間登録情報を受信していない場合に削除する構成であったり、スキャナ２の電源をＯＦＦにした際に全ての登録情報を削除したりする構成であっても良い。要は、非常に古い登録情報を永遠に記憶し続ける状況を防ぐのが好ましいのである。
【０１１２】
さらに、図５に示す登録情報送信処理は、パーソナルコンピュータの電源投入時に処理を開始される例を挙げて説明したが、スキャナ２がＬＡＮ８に参加したことが確認された際に実行されるようにする構成としてもよい。この場合、スキャナ２に、ＬＡＮ８に参加した際（ＬＡＮ８に接続された際）、ＬＡＮ８上に当該スキャナ２がＬＡＮ８に参加した旨のブロードキャストを行わせ、このブロードキャストを受け取ったか否かに基づいて図５に示す登録情報送信処理を実行するか否かを判断すれば良いのである。尚、この場合、常に、ステップＳ１０１〜Ｓ１１３の処理を繰り返し実行せずに、当該ブロードキャストを受け取った際に、一度だけ、Ｓ１０１〜Ｓ１１２の処理を実行するように構成してもよい。これにより、パケットの送受信回数を低減させることが可能となる。このような構成によれば、スキャナ２をＬＡＮ８に参加させたタイミングに基づいて登録情報の送受信が実行されるため、スキャナ２がＬＡＮ８に参加していないのに、パケットを送信してしまうという無駄な処理を無くすことが可能となる。
【０１１３】
また、上述した内容をスキャン２やパーソナルコンピュータなどに実行させる各プログラムを、コンピュータが読み取り可能なＣＤ−ＲＯＭなどの各種記録媒体に記録するようにしてもよい。
【０１１４】
【発明の効果】
請求項１、９、１０、１１、１２によると、端末装置から画像データ生成装置へ、画像データ生成装置が画像データを当該端末装置に送信する際に用いる識別情報を格納したパケットが送信され、画像データ生成装置では端末装置から受信したパケットの送信元である端末装置の中から画像データの送信先となる端末装置を選択するので、画像データ生成装置で生成した画像データを端末装置へ送信する際の端末装置の指定を簡単に行うことが可能になる。
【０１１５】
請求項２によると、画像データを送信する送信先の端末装置に対応する登録照合情報と一致する入力照合情報を照合情報入力手段で入力しないと、画像データが画像データ生成装置から端末装置へ送信されないため、画像データを他のユーザの端末装置へ送信する悪戯や、端末装置の選択の間違いにより希望しない端末装置への画像データの送信を効果的に防止することができる。
【０１１６】
請求項３によると、端末装置が画像データ生成装置に対して送信する識別情報と登録照合情報とを同じパケットに格納して送信するので、通信の負荷を軽減することができる。
【０１１７】
請求項４によると、端末装置から画像データ生成装置へ登録照合情報を暗号化して送信するので、登録照合情報が他人に知られることを効果的に回避することが可能になる。これとともに、一般に暗号化された情報を復号化するよりも実質的に同じ暗号化処理に基づいて情報を暗号化する方が容易であることを踏まえれば、登録照合情報を暗号化した暗号化処理と実質的に同じ暗号化処理で入力照合情報を暗号化して両者の一致を判断しているため、暗号化された登録照合情報を復号化して入力照合情報との一致を判断するものに比べ、実施が容易になるという利点がある。
【０１１８】
請求項５によると、送信先選択手段による選択対象となる端末装置が、画像データ生成装置がパケットを所定期間内に受信したもののみになるので、ユーザによる画像データを送信する端末装置の選択が容易になる。
【０１１９】
請求項６によると、画像データ生成装置がパケットを所定期間受信していない端末装置の識別情報を記憶手段から削除するので、記憶手段の記憶領域を有効に利用することが可能になる。
【０１２０】
請求項７によると、画像データ生成装置がパケットを所定期間受信していない端末装置の識別情報及び登録照合情報を記憶手段から削除するので、記憶手段の記憶領域を有効に利用することが可能になる。
【０１２１】
請求項８によると、端末装置は、画像データ生成装置のネットワーク参加に基づいて、パケット送信手段によるパケットの送信を実行するので、画像データ生成装置がネットワークに参加していないのに、パケット送信してしまうという無駄な処理を無くすことが可能になる。
【図面の簡単な説明】
【図１】本発明の実施の形態における画像データ送受信システムのシステム構成を示す図である。
【図２】図１に示した画像データ送受信システムを構成する装置の装置構成を示す図である。
【図３】図１に示した画像データ送受信システムのスキャナに記憶される登録情報データベースの例を示す図である。
【図４】図１に示した画像データ送受信システムのスキャナに表示される選択画面の例である。
【図５】図１の画像データ送受信システムのパーソナルコンピュータが実行する登録情報送信処理の動作フローを示すフローチャートである。
【図６】図１の画像データ送受信システムのスキャナが実行する登録情報格納処理の動作フローを示すフローチャートである。
【図７】図１の画像データ送受信システムのスキャナが実行する登録情報削除処理の動作フローを示すフローチャートである。
【図８】図１の画像データ送受信システムのスキャナが実行する画像データ処理の動作フローを示すフローチャートである。
【図９】図１の画像データ送受信システムのパーソナルコンピュータが実行する画像データ処理の動作フローを示すフローチャートである。
【符号の説明】
１  画像データ送受信システム
２  スキャナ
３、４、５ａ、５ｂ、５ｃ  パーソナルコンピュータ
６、７ａ、７ｂ、７ｃ  ハブ
８  ＬＡＮ
２１、３１  ＣＰＵ
２２、３２  ＲＯＭ
２３、３３  ＲＡＭ
２４  ＮＶＲＡＭ
２５  操作パネル
２６  読取部
２７  ネットワークインターフェース
２８  ＵＳＢインターフェース
２９  パラレルインターフェース
３４  ＨＤＤ
３５  操作部
３６  表示部
３７  インターフェース
【図１】
2004214854.tif 000003
【図２】
2004214854.tif 000004
【図３】
2004214854.tif 000005
【図４】
2004214854.tif 000006
【図５】
2004214854.tif 000007
【図６】
2004214854.tif 000008
【図７】
2004214854.tif 000009
【図８】
2004214854.tif 000010
【図９】
2004214854.tif 000011